(57)【特許請求の範囲】
【請求項１】
画像読み取り手段と、前記画像読み取り手段により読み取った複数枚の原稿データを記憶する記憶手段と、
前記記憶手段によって格納された画像データを読み出す読み出し手段と、
前記読み出し手段によって読み出された画像データを印刷して出力する印刷出力手段と、
前記印刷出力手段より印刷出力された画像形成済転写紙を揃え且つステープルする後処理手段と、
操作者が種々の動作モードを設定するための入力手段と、
前記各手段を制御する制御手段とを有し、
前記制御手段は最初に給送された一枚目の原稿の画像データ中に記入された総ページ数データを認識し、前記後処理手段が実行可能かどうかの判断をすることを特徴とする画像形成装置。
【請求項２】
前記制御手段は、前記後処理手段の実行が不可能であると判断すると、操作者に前記後処理手段が実行不可能であることを知らせることを特徴とする請求項１記載の画像形成装置。
【請求項３】
前記制御手段は、画像データ中の任意の位置に記された総ページ数データにより前記後処理手段が実行可能かどうかの判断をすることを特徴とする請求項１または２記載の画像形成装置。
【請求項４】
前記制御手段は、前記後処理手段が実行不可能であることを操作者に知らせてから一定時間内に操作者から機能変更要求が無い場合、前記後処理手段以外の処理を実行することを特徴とする請求項１から３のいずれかに記載の画像形成装置。
【請求項５】
前記制御手段は、前記後処理手段が実行不可能であることを操作者に知らせてから前記後処理手段以外の処理を実行するまでの時間を操作者が任意に設定することができることを特徴とする請求項１から４のいずれかに記載の画像形成装置。
【請求項６】
前記制御手段は、前記入力手段よりステープル可能枚数が入力されると、入力された該ステープル可能枚数をもとに前記後処理手段による後処理が実行可能であるか、否かの判断を行うことを特徴とする請求項１から５のいずれかに記載の画像形成装置。
【請求項７】
前記制御手段は、前記入力手段より入力された前記後処理手段により後処理を実行するか、否かの設定に従って前記各手段を制御することを特徴とする請求項１から６のいずれかに記載の画像形成装置。
【発明の詳細な説明】
【０００１】
【発明の属する技術分野】
本発明は、画像形成装置に関し、特に、画像形成処理を施され排出された転写紙に後処理を施す画像形成装置、または原稿中の特定のデータを認識する機能を有する画像形成装置に関する。
【０００２】
【従来の技術】
画像形成処理を施され排出された転写紙にステープル処理などの後処理を施す画像形成装置は転写紙にステープル処理を施すのに限度枚数があるので、原稿束の枚数を認識する機能を有していた。従来の原稿束の枚数を認識する手段としては、原稿給送装置などによって原稿束を画像データ読み取り部に給送するときに原稿の枚数を一枚ずつカウントして原稿の総枚数を数えてからステープル処理実行可能かどうかの判断を下していた。
【０００３】
本発明と技術分野が類似する従来例１として、特開昭６２−２４１３５７号公報、または特開昭６２−２４１３５８号公報の“文字認識装置”がある。本従来例は、光学式文字認識に関するものであり、文字列を含む画像信号の中から文字画像を抽出し、抽出した文字画像をそれぞれ９０°ずつ向きの異なる４方向から認識することを特徴としている。
【０００４】
【発明が解決しようとする課題】
しかしながら、原稿給送装置などによって原稿束を一枚ずつカウントして原稿の総枚数を数えていたのでは、ステープル処理実行可能かどうかの判断を下すのに時間がかかり、操作者が他の作業を行いたいときに生産性を低下させることになる。
【０００５】
また、従来例１の文字認識装置は縦書きや横書きなどがあり、書かれている文字の方向がわからない郵便物などにこの文字認識装置を適用すると最適であるが、原稿に書かれた文字の方向が揃えてあり、文字の方向を判別する必要がない画像形成装置にこの文字認識装置の機能を適用すると不必要な動作を含むことになる。
【０００６】
本発明は、原稿束の総枚数を瞬時に認識してステープル機能実行可能かどうかの判断を下し、ステープル機能実行不可能であるときは直ちにこのことを操作者に知らせることを特徴とする画像形成装置を提供することを目的とする。
【０００７】
【課題を解決するための手段】
かかる目的を達成するため、本発明の画像形成装置は、画像読み取り手段と、前記画像読み取り手段により読み取った複数枚の原稿データを記憶する記憶手段と、前記記憶手段によって格納された画像データを読み出す読み出し手段と、前記読み出し手段によって読み出された画像データを印刷して出力する印刷出力手段と、前記印刷出力手段より印刷出力された画像形成済転写紙を揃え且つステープルする後処理手段と、操作者が種々の動作モードを設定するための入力手段と、前記各手段を制御する制御手段とを有し、前記制御手段は最初に給送された一枚目の原稿の画像データ中に記入された総ページ数データを認識し、前記後処理手段が実行可能かどうかを判断することを特徴とする。
【０００８】
また、制御手段は、後処理手段の実行不可能であると判断したときは操作者に後処理手段が実行不可能であることを知らせると良い。
【０００９】
また、制御手段は、画像データ中の任意の位置に設定された総ページ数データにより後処理手段が実行可能かどうかの判断をすると良い。
【００１０】
また、制御手段は、後処理手段が実行不可能であることを操作者に知らせると一定の時間内に操作者からの機能変更要求が無い場合、後処理手段以外の処理を実行すると良い。
【００１１】
さらに、制御手段は、後処理手段が実行不可能であることを操作者に知らせてから後処理手段以外の処理実行するまでの時間を操作者が任意に設定することができると良い。
【００１２】
また、制御手段は入力手段よりステープル可能枚数が入力されると、入力されたステープル可能枚数をもとに後処理手段による後処理が実行可能であるか、否かの判断を行うと良い。
【００１３】
また、制御手段は入力手段より入力された後処理手段により後処理を実行するか、否かの設定に従って各手段を制御すると良い。
【００１４】
【発明の実施の形態】
次に添付図面を参照して本発明による画像形成装置の実施の形態を詳細に説明する。図１〜図１４を参照すると本発明の画像形成装置の一実施形態が示されている。
【００１５】
図１は、本発明の画像形成装置の一実施形態を示す構成図である。
本発明の画像形成装置は自動原稿給送部１（以下、ＡＤＦ１）、操作部２０、読み取りユニット５０、書き取りユニット７０、フィニッシャ１９、第一トレイ８、第二トレイ９、第三トレイ１０、第一給紙装置１１、第二給紙装置１２、第三給紙装置１３、縦搬送ユニット１４、感光体１５、などを有して構成されている。
【００１６】
図２は、操作部２０の構成を示す構成図である。
操作部２０は、液晶ディスプレイ２１、スタートキー２２、クリア／ストップキー２３、テンキー２４、ステープルモードキー２５、エンターキー２６、モードクリアキー２７、両面モードキー２８、などを有しており、液晶ディスプレー２１には各キーによって設定されたモード、部数、及び画像形成装置の状態を示すメッセージが表示される。
【００１７】
図３は、読み取りユニット５０と書き込みユニット６０の構成を示す構成図である。読み取りユニット５０は、原稿を載置するコンタクトガラス６、露光ランプ５１、第一ミラー５２、レンズ５３、ＣＣＤイメージセンサ５４、Ａ／Ｄコンバータ５７などを有して構成され、書き込みユニット７０は、レーザー出力ユニット７１、結像レンズ７２、などを有し、レーザー出力７１の内部には図示しないレーザ光源であるレーザーダイオード及びモータにて高速で定速回転する多面鏡（ポリゴンミラー）を有して構成される。
【００１８】
露光ランプ５１、第１ミラー５２は図示しない第１キャリッジに固定され、第２ミラー５５及び第３ミラー５６は図示しない第２キャリッジ上に固定されている。原稿画像を読み取るときには光路長が変わらないように第１キャリッジと第２キャリッジとが２対１の相対速度で機械的に操作される。
【００１９】
露光ランプ５１は、原稿画像にコンタクトガラス１１を透過して光を照射するものである。露光ランプ５１より照射された光の反射光は、コンタクトガラス６を透過して第一ミラー５２、第二ミラー５５、第三ミラー５６の順に反射された後、レンズ５３により集光されてＣＣＤイメージセンサ５４に入射される。ＣＣＤイメージセンサ５４はレンズ５３により集光された原稿の反射光を入射して、入射された光をその強度に応じた電気信号に変換することで原稿の画像情報を読み取る。またレンズ５３及びＣＣＤイメージセンサ５４を第３図において左右方向に移動させることにより画像倍率を変えることができる。
【００２０】
画像の再生は感光体１５上で行なわれる。書き込みユニット７０には図示しないレーザダイオードが備わっており、それが発するレーザ光は回転多面鏡、結像レンズ、ミラーを経て感光体１５の表面に照射される。感光体の表面は、予め帯電チャージによるコロナ放電により一様に高電位に帯電されている。この表面に書き込みユニット７０の発するレーザー光が照射されると、その光の強度に応じて帯電電位が変化する。つまり、書き込みユニット７０が備えているレーザーダイオードが発するレーザー光の照射の強弱に応じた電位分布が感光体１５上に形成される。書き込みユニット７０によって感光体１５に書き込まれた画像データは感光体１５により転写紙に画像を形成され、搬送ベルト１６によって搬送され、定着ユニット１７にて形成された画像を定着し、排出ユニット１８によってフィニッシャ１９に排出される。
【００２１】
なお、給送ローラ３、給送ベルト４、排送ローラ５は搬送モータ４１によって駆動される。
【００２２】
また、感光体１５、搬送ベルト１６、定着ユニット１７、排紙ユニット１８はメインモータ４２によって駆動される。また各給紙装置１１〜１３はメインモータ４２の駆動を各々給紙部材３２〜３４によって、縦搬送ユニット１４はメインモータの駆動を中間部材３１によってそれぞれ伝達して駆動する。
【００２３】
露光ランプ５１、第一ミラー５２、第二ミラー５３、レンズ５３、ＣＣＤイメージセンサ５４などの光学走査系は図示しないスキャナ駆動モータによって駆動される。
【００２４】
次に図４、図５を用いて本発明の画像形成装置の動作例を説明する。
図４は、本発明の実施形態の画像処理部の構成を示すブロック図である。
まず、操作者は文字、数字認識範囲の指定を行なう。液晶ディスプレイ２１に画面の横軸及び縦軸をｘ軸及びｙ軸に設定して、ｘ軸及びｙ軸をミリメートル単位で区切り、各区切りごとに番号がふられた表示が出力される。操作者は操作部より総ページ数を記した原稿での位置に対応する液晶ディスプレイ２１の範囲の数字をｘ軸、ｙ軸それぞれにテンキー２４及びエンターキー２６を用いて入力する。制御部は入力された文字、数字認識位置をメモリに格納する。図６は原稿に記載される原稿総ページ数データの記載例を示す図である。
【００２５】
つぎに操作者はＡＤＦ１にある原稿台２に総ページ数を記した原稿をいちばん下にして原稿面を上にして原稿束をセットする。セットされた原稿束は、操作部２０上のスタートキー２２が押下されると、原稿セット検知器７が原稿台２上に原稿がセットされているかいないかを検知する。原稿セット検知器７が原稿台上の原稿を感知すると一番下の原稿から順に給送ローラ３、給送ベルト４によってコンタクトガラス６上の所定の位置に給送される。
【００２６】
また、第一トレイ８、第二トレイ９、第三トレイ１０に積載された転写紙は各々第一給紙装置１１、第二給紙装置１２、第三給紙装置１３によって給紙され、縦搬送ユニット１４によって感光体１５に当接される位置まで搬送される。
【００２７】
制御部は画像読み取りスタートの命令を受けると読み取りユニット５０のスキャナを駆動させ画像データを読み取り、読み取った画像データを画像メモリ１０２に格納する。
【００２８】
読み取られた原稿束は原稿セット検知器７により原稿台２上に原稿が残っていないことが確認されると給送ベルト４及び排送ローラ５によって排出される。
【００２９】
制御部は文字、数字認識ユニット１０３を用いて原稿総ページ数データを認識する。制御部は画像メモリ１０２に格納された画像データのうち一番最初にコンタクトガラス６上に給送された原稿の画像データをＲＡＭ８３に出力させる。文字、数字認識ユニット１０３はＲＡＭ８３に出力された画像データのうち予めメモリに格納されている文字、数字認識範囲の画像データを順に数値化してＣＰＵ８１に出力する。ＣＰＵ８１はその値を認識する。認識できた時はその原稿総ページ数の値を、また認識出来なかったときは０を値として文字、数字認識ユニットに返す。認識結果はＲＡＭ８３上のデータエリアに格納される。
【００３０】
上記の処理によって認識された原稿の総ページ数は予めメモリ内に格納されているステープル制限枚数と比較される。
【００３１】
原稿の総ページ数データがステープル制限枚数データを超えている時は、液晶ディスプレイ２１に“ステープル可能枚数を超えています”との表示を出力して操作者にこのことを認識させる。
【００３２】
操作者より“すべての動作を中止せよ”とのコマンドが入力されたときは全ての動作を中止する。また、“ステープル機能を解除して画像形成処理を実行せよ”との命令が出されたときはステープル機能だけを解除して画像形成処理を行なう。
【００３３】
さらに操作者によって予め設定されメモリに格納れている待機時間を超えても操作者より何の設定変更要求を受けなかったときは自動的にステープル機能を解除して画像形成処理だけを実行する。
【００３４】
図５は、本発明の画像処理装置の各部分の接続関係を示すブロック構成図である。ＣＣＤイメージセンサ５４にて光電変換された画像デ−タは、Ａ／Ｄコンバータ５７にてデジタル信号に変換される。デジタル信号に変換された画像データは、シェーディング補正処理手段部５８によって個々の画素の光感度のばらつきを補正される。
【００３５】
シェーディング補正された画像信号は画像処理部５９でＭＴＦ補正（ｍｏｄｕｌａｔｉｏｎ  ｔｒａｎｓｆｅｒ  ｆｕｎｃｔｉｏｎ）、指定された変倍率に応じて入力画像信号の変倍処理を行なう変倍処理、入力画像信号の地肌除去を行なうガンマ補正等を施され、セレクタ６０に出力される。
【００３６】
セレクタ６０は、操作者の設定に従って、入力された画像信号の出力先を画像メモリコントローラ１０１、または書き込みユニット７０に切り替えることができる。
【００３７】
画像メモリコントローラ１０１はセレクタ６０と双方向に画像信号を入出力することが可能であり、セレクタ６０から送信された画像信号を操作者の設定に従って画像メモリ１０２に格納する。
【００３８】
また、画像メモリコントローラ１０１の設定、読み取りユニット５０、書き込みユニット７０の制御を行なうＩＰＵ制御部８０は、ＣＰＵ８１、及びプログラムやデータの格納、読み出しを行なうＲＯＭ８２，ＲＡＭ８３を備えている。
【００３９】
さらにＣＰＵ８１は画像メモリコントローラ１０１を介して画像メモリ１０２のデータの書き込み、読み出しを行なうことができる。
【００４０】
次に図７〜図１４を用いて本実施例における画像処理部（以下ＩＰＵ）８０とベースコントロールユニット（以下ＢＣＵ）９０の動作例を説明する。
【００４１】
図７は、ＩＰＵ８０の第一の動作例を示すフローチャートである。コマンドを受信すると（Ｓ１０１／ＹＥＳ）、まず本装置がステープルモードに設定されているかどうかの確認を行い、ステープルモードに設定されている（Ｓ１０２／ＹＥＳ）ときは、印刷出力された転写紙にステープル処理を施す（Ｓ１０３）。
【００４２】
ステープルモードに設定されていない（Ｓ１０２／ＮＯ）ときは画像入力処理を行い（Ｓ１０５）、読み込まれた画像データに画像出力処理（Ｓ１０７）だけを施す。
【００４３】
図８は、ＩＰＵ８０の第二の動作例を示すフローチャートである。操作者からステープルモードセットコマンドを受信すると（Ｓ２０１／ＹＥＳ）、ステープルモードに本装置をセットし、カウントフラグをリセットして（Ｓ２０２）、文字、数字認識ユニットにて画像データ中のメモリに格納された認識位置が示す位置のデータの認識を行なう。
【００４４】
また、リセットコマンドを受信したときは（Ｓ２０１／ＮＯ），ステープルモードフラグをリセットする（Ｓ２０３）。
【００４５】
フラグのセット／リセットを設定すると、原稿枚数データエリア内のデータの消去（Ｓ２０４）と各カウンタのクリア（Ｓ２０５）を行なう。
【００４６】
図９は、ＩＰＵ８０の第三の動作例を示すフローチャートである。画像データ読み取りスタートコマンドを受信するとＩＰＵ８０はスキャナを駆動させて画像データを読み取り、読み取った画像データを画像メモリに格納する（Ｓ３０１）。
【００４７】
本装置がステープルモードに設定されており（Ｓ３０２／ＹＥＳ）、カウントフラグがＯＦＦになっている（Ｓ３０３／ＮＯ）と、画像メモリ１０２中に格納された画像データ中の文字、数字認識位置のデータを文字、数字認識ユニット１０３が認識する（Ｓ３０４）。認識終了後、カウントフラグをセットして（Ｓ３０５）認識結果をＢＣＵ部に送信する（Ｓ３０６）。
【００４８】
図１０はＢＣＵ９０の第一の動作例を示すフローチャートである。原稿台２上に原稿がセットされた状態（Ｓ４０１／ＹＥＳ）で本装置が動作中（ジョブ実行フラグＯＮ）（Ｓ４０３／ＹＥＳ）であるとステープルモードキー２５などを操作者が入力しても本装置が動作中はいかなるキー入力も受け付けない。またすでにステープルモードに設定されているときに（Ｓ４０４／ＹＥＳ）操作者がステープルモード入力をすると本装置のステープルモードを解除し（Ｓ４０５）、液晶ディスプレイ２１にステープルモードをクリアしたことを表示する（Ｓ４０６）。
【００４９】
本装置が待機中（ジョブ実行フラグＯＦＦ）でステープルモードに設定されていない（Ｓ４０４／ＮＯ）ときに、操作者がステープルモードキー２５を押下すると、ステープルモードフラグをＯＮにして（Ｓ４０７）ステープルモードに設定し、ディスプレイにステープルモードが設定されていることを表示させる（Ｓ４０８）。ステープルモードに設定されており、原稿台２上の原稿がすべて除去されている場合、またはモードクリアキー２７を押下された場合はステープルモードを解除し，この機能を解除したことをディスプレイに表示する。
【００５０】
図１１はＢＣＵ９０の第二の動作例を示すフローチャートである。
スタートキー２２が押下されており（Ｓ５０１／ＹＥＳ）、原稿が原稿台２上にセットされ（Ｓ５０４／ＹＥＳ），ステープルモードに設定されている場合（Ｓ５０５／ＹＥＳ）は、ＩＰＵ８０にステープルモードセットコマンドを送信し（Ｓ５０６），ＡＤＦ１の搬送モータ４１を駆動させて原稿をコンタクトガラス６上の所定の位置に給送し（Ｓ５０７），給送終了後ＩＰＵ８０に読み取りスタートコマンドを送信し（Ｓ５０８），画像データの読み取りを開始する。
【００５１】
図１２は本実施形態の画像形成装置の動作例を示すフローチャートである。ＢＣＵ部９０はＩＰＵ部８０より受信した原稿枚数データをメモリ内に格納されているステープル制限枚数と比較する（Ｓ６０１）。原稿枚数がステープル制限枚数内であれば（Ｓ６０２／ＹＥＳ）、原稿台２上に原稿が残っているかの判断を原稿セット検知器７より行なう。
【００５２】
原稿セット検知器７より原稿台２上に原稿が残っていると判断したとき（Ｓ６１３／ＹＥＳ）は、ＡＤＦ１が原稿台２上の原稿を給送ローラ３、給送ベルト４によってコンタクトガラス６上の所定の位置に給送し（Ｓ６１４），その原稿を読み込む（Ｓ６１５）。また原稿台２上に原稿が残っていないと判断したとき（Ｓ６１３／ＮＯ）は、コンタクトガラス６上にある読み取り済み原稿を排送し（Ｓ６１６），その後ＩＰＵ８０へ画像出力スタートコマンドを送信する。
【００５３】
また、原稿枚数がステープル制限枚数を超えている場合（Ｓ６０２／ＮＯ）は、液晶ディスプレイ２１に原稿枚数がステープル制限枚数を超えていることを表示し（Ｓ６０３）、リセットカウンタをスタートさせる（Ｓ６０９）。
【００５４】
ＢＣＵ部９０はメモリに格納されている待機時間値とカウンタ値を比較する。カウンタ値と待機時間値が一致するまでに操作者が（１．ジョブの中止、２．ステープル機能を解除して実行）のどちらかの操作コマンドを入力しなかったとき（Ｓ６１０／ＹＥＳ）はステープル機能を解除（Ｓ６０６）し、画像形成処理を実行する。
【００５５】
待機時間以内に操作者が“ジョブの中止”の設定を入力したときはすべてのモード設定をリセットする（Ｓ６０８）。また、操作者が“ステープルを解除して実行”の設定を入力したときはステープル機能だけを解除して画像形成処理を実行する。
【００５６】
図１３は本実施形態による第２の動作例を説明するためのフローチャートである。ＢＣＵ部９０はＩＰＵ部８０より受信した原稿枚数データをメモリ内に格納してあるステープル制限枚数と比較する（ステップＳ７０１）。原稿枚数がステープル制限枚数内であるときは（ステップＳ７０２／ＹＥＳ）、まず原稿台上に原稿が残っているかどうかの判断を原稿セット検知器７により行う。
【００５７】
原稿セット検知器７により原稿台上に原稿が残っていると判断したときは（ステップＳ７０７／ＹＥＳ）、ＡＤＦ１が原稿台２上の原稿を給送ローラ３、給送ベルト４によってコンタクトガラス６上の所定の位置に給送し（ステップＳ７１０）、その原稿を読み込む（ステップＳ７１１）。また原稿台２上に原稿が残っていないと判断すると（ステップＳ７０７／ＮＯ）、コンタクトガラス６上にある読み取り済み原稿を排送して（ステップＳ７１２）、その後ＩＰＵ部８０に画像出力スタートコマンドを送信する。
【００５８】
また、原稿枚数がステープル制限枚数を越えているときは（ステップＳ７０２／ＮＯ）、液晶ディスプレイ２１に「原稿枚数がステープル制限枚数を越えています。１：ジョブを中止、２：ステープルを解除して実行」というメッセージを表示する（ステップＳ７０３）。
【００５９】
操作者よりテンキー２４及びエンターキー２６により“１”のジョブを中止が指定されると（ステップＳ７０５／ＹＥＳ）、モード設定及びフラグを全てリセットする（ステップＳ７０９）。また“２”のステープルを解除して実行が入力されると（ステップＳ７０５／ＮＯ）、ステープルモードを解除して（ステップＳ７０６）、ジョブを実行する。
【００６０】
次にステープル制限枚数を操作部２０により任意に設定することができる機能について説明する。この機能はオペレータがステープル可能枚数を任意に変更することができる機能であり、フィニッシャをステープル可能枚数が異なる他のフィニッシャに変更するときなどに効果を発揮する機能である。
【００６１】
オペレータは変更したフィニッシャのステープル可能枚数を操作部２０のテンキー及びエンターキー等を用いて入力する。ステープル可能枚数が入力されるとＢＣＵ部９０内の図示しないメモリに格納されていたステープル制限枚数を入力された数値に変更する。
【００６２】
ＢＣＵ部９０は上記の変更され、メモリに格納されたステープル可能枚数と、文字・数字認識ユニット１０３で認識し、ＩＰＵ部８０より受信した原稿枚数データとを比較してステープル処理実行可能か否かの判定を行うことにより取り替えられたフィニッシャの可能なステープル枚数による判定を容易に実現することができる。
【００６３】
次に操作部２０よりステープル可・不可検出モードのセット、リセットを任意に設定することができる機能について説明する。この機能は、原稿束からオペレータが原稿を数枚抜いてしまい、原稿に記された総ページ数と実際にＡＤＦにセットされた原稿の枚数とが一致していないときなどに効果を発揮する機能である。
【００６４】
図１４のフローチャートを用いてステープル可・不可検出モードのセット、リセットの設定の仕方について説明する。
ステープルモードキー２５が押下され（ステップＳ８０１／ＹＥＳ）、原稿セット検知器７がＯＮになっており（ステップＳ８０２／ＹＥＳ）、ジョブ実行フラグとステープルモードフラグが共にＯＮになっていないとき（ステップＳ８０３、Ｓ８０４／ＮＯ）、液晶ディスプレイ２１に「ステープル可・不可検出を行いますか？／１：行う、２：行わない」というメッセージを表示する（ステップＳ８０７）。尚、ステップＳ８０４において、ステープルモードフラグが既にＯＮされていたときには、ステープルフラグをＯＦＦにして以後の処理を終了する（ステップＳ８０５）。
【００６５】
操作者によりテンキー２４及びエンターキーにて“１”のステープル可・不可検出を行うという入力があった場合（ステップＳ８０９／ＹＥＳ）、ステープル可・不可検出モードを実行する（ステップＳ８１１）。また“２”のステープル可・不可検出を行わないという入力があった場合（ステップＳ８０９／ＮＯ）、総ページ数認識によるステープル可・不可検出モードは実行しない。尚、この場合ステープルモードの解除は行わない。
【００６６】
上記の実施形態により、ＡＤＦ１によって最初に給送された一枚目の原稿の所定の位置に記された総ページ数を認識し、その認識値がステープル制限枚数以内か否かを判断することによりＡＤＦ１が原稿を給送することにより枚数をカウントした後でステープル制限枚数以内であるかの判断をしていたときよりも迅速で正確な判断を下す事ができ、操作者がいつまでも本装置に気を配る必要がなくなり生産性が向上する。
【００６７】
また、総ページ数を認識できる位置を任意に設定できることで様々なフォーマットの原稿に対応することができ本装置の有効性を広げることができる。
【００６８】
また、原稿総ページ数がステープル制限枚数をオーバーしていても迅速に表示部にこの事を表示することがきるため、操作者が本装置から離れてしまうことがなく、以後の動作が操作者の期待したものとことなってくるなどの不具合を生じることがなくなる。
【００６９】
また、原稿総ページ数がステープル制限枚数をオーバーしていて一定時間内に操作者による設定変更が行なわれなかったとき、ステープル機能だけを解除してその他の処理を行なっておくことができることにより、ジョブ中断時間を短縮でき本装置の生産性低下を防ぐことができ、また操作者がもう一度始めから機能変更して本装置のすべての動作が完了するまで待つ必要がなくなり生産性が向上する。
【００７０】
さらに、ステープル機能実行不可能であるとき、操作者がジョブ再スタートまでの時間を任意に設定できることにより、使用頻度の高い装置の場合はジョブ再スタート時間を短く設定し生産力の低下を防ぎ、また使用頻度の低い装置ではジョブ再スタート時間を長く設定することで操作者の意向を容易に反映することができるなど装置の使用状況に即したモードにすることができ生産性が向上する。
【００７１】
また、ステープル可能枚数を操作部２０により任意に設定することができることにより、ステープル可能枚数の異なる様々なタイプの後処理装置を本装置に用いることができる。
【００７２】
また、ステープル可・不可検出モードのセット、リセットを任意に設定することができるので、原稿束からオペレータが原稿を数枚抜きとってしまい、原稿に記された総ページ数と実際にＡＤＦにセットされた原稿枚数とが一致しなかった場合等、装置の使用状況により即したモードに簡単に変更することができる。
【００７３】
【発明の効果】
以上の説明より明らかなように、本発明の画像形成装置は、原稿給送器によって最初に給送された一枚目の原稿の所定の位置に記された総ページ数を認識し、その認識値がステープル制限枚数以内か否かを判断することにより原稿給送器が原稿を給送することにより枚数をカウントした後でステープル制限枚数以内であるかの判断をしていたときよりも迅速で正確な判断を下す事ができ、操作者が長時間本装置に気を配る必要がなくなり生産性が向上する。
【００７４】
また、総ページ数を認識できる位置を任意に設定できることで様々なフォーマットの原稿に対応することができ本装置の有効性を広げることができる。
【００７５】
また、原稿総ページ数がステープル制限枚数をオーバーしていても迅速に表示部にこの事を表示することがきるため、操作者が本装置から離れてしまうことがなく、以後の動作が操作者の期待したものと異なってくるということがなくなる。
【００７６】
また、原稿総ページ数がステープル制限枚数をオーバーしており、かつ一定時間内に操作者による設定変更要求が出されなかったとき、ステープル機能だけを解除してその他の処理を実行することができることにより、ジョブ中断時間の短縮になり本装置の生産性低下を防ぐことができる。また操作者がもう一度始めから機能設定をやり直して本装置のすべての動作が完了するまで待たされることがなくなり生産性が向上する。
【００７７】
さらに、ステープル機能実行不可能であるとき、操作者がジョブ再スタートまでの時間を任意に設定できることにより、使用頻度の高い装置の場合はジョブ再スタート時間を短く設定し生産力の低下を防ぐ、また使用頻度の低い装置の場合はジョブ再スタート時間を長く設定し操作者の意向を容易に反映する、など装置の使用状況に即したモードにすることができ生産性が向上する。
【００７８】
また、ステープル可能枚数を入力手段により任意に設定することができることにより、ステープル可能枚数の異なる様々なタイプの後処理手段を用いることができる。
【００７９】
また、後処理手段を用いて後処理を行うか、行わないかの設定を入力手段から容易に設定することができることにより、原稿束から操作者が原稿を数枚抜きとるなどの原稿の所定の位置に記された総ページデータと実際の原稿枚数とが一致しなかったときなどに、画像形成装置の使用状況に即した利用をすることができる。
【図面の簡単な説明】
【図１】本発明の画像形成装置の実施形態を示す全体構成図である。
【図２】操作パネルの構成例を示す部分外観図である。
【図３】読み取りユニット及び書き込みユニットの構成例を示す外観図である。
【図４】本発明の画像形成装置の実施形態の画像処理部の構成を示すブロック図である。
【図５】本発明の画像処理装置の各部分の接続関係を示すブロック構成図である
【図６】原稿に記載される原稿総ページ数データの記載例を示す図である。
【図７】ＩＰＵの第一の動作例を示すフローチャートである。
【図８】ＩＰＵの第二の動作例を示すフローチャートである。
【図９】ＩＰＵの第三の動作例を示すフローチャートである。
【図１０】ＢＣＵの第一の動作例を示すフローチャートである。
【図１１】ＢＣＵの第二の動作例を示すフローチャートである。
【図１２】本発明の画像形成装置の動作例を示すフローチャートである。
【図１３】本発明の画像形成装置の第２の動作例を示すフローチャートである。
【図１４】本発明の画像形成装置の第３の動作例を示すフローチャートである。
【符号の説明】
１  ＡＤＦ
２  原稿台
３  給送ローラ
４  給送ベルト
５  排送ローラ
６  コンタクトガラス
７  原稿セット検知器
８  第一トレイ
９  第二トレイ
１０  第三トレイ
１１  第一給送装置
１２  第二給紙装置
１３  第三給紙装置
１４  縦搬送ユニット
１５  感光体
１６  搬送ベルト
１７  定着ユニット
１８  排紙ユニット
１９  フィニッシャ
２０  操作部
２１  液晶ディスプレイ
４１  搬送モータ
４２  メインモータ
５０  読み取りユニット
７０  書き込みユニット
８０  ＩＰＵ
９０  ＢＣＵ
１０１  メモリコントローラ
１０２  画像メモリ
１０３  文字、数字認識ユニット
【図１】
0003655442.tif 000002
【図２】
0003655442.tif 000003
【図３】
0003655442.tif 000004
【図４】
0003655442.tif 000005
【図５】
0003655442.tif 000006
【図６】
0003655442.tif 000007
【図７】
0003655442.tif 000008
【図８】
0003655442.tif 000009
【図９】
0003655442.tif 000010
【図１０】
0003655442.tif 000011
【図１１】
0003655442.tif 000012
【図１２】
0003655442.tif 000013
【図１３】
0003655442.tif 000014
【図１４】
0003655442.tif 000015